(57)【要約】【課題】  相互に交差するように配置される配管を容易に固定でき、締め紐を使って相互に交差する配管の結束力を増大させ、安定でしっかりと配管を固定する配管固定装置を提供する。【解決手段】  相互に交差するように配置され、液体やガスを通す複数本の配管と、該複数本の配管を固定するための固定部材とを備えるものの、固定部材は、複数本の配管を固定する複数の固定穴と、配管固定用の紐がはめ込まれる複数の嵌入穴とを備える。【選択図】      図１
2005337492.tif 000002
【特許請求の範囲】
【請求項１】
相互に交差するように配置された複数本の配管と、該複数本の配管を固定するための固定部材とを備える配管固定装置であって、
前記固定部材が、
胴体と、
該胴体に前記複数本の配管の配置に相応するように形成される複数の固定穴と、
前記胴体に前記複数本の配管の配置に相応するように形成される複数の嵌入穴とを備えることを特徴とする配管固定装置。
【請求項２】
前記複数の固定穴は、配管の長さ方向に形成され、前記複数の嵌入穴は、前記各配管の直径方向に形成されることを特徴とする請求項１に記載の配管固定装置。
【請求項３】
前記複数の固定穴のうちいずれか一つの固定穴と、前記複数の嵌入穴のうちいずれか一つの嵌入穴は対をなし、対をなす固定穴と嵌入穴は、相互に交差するように形成されることを特徴とする請求項１に記載の配管固定装置。
【請求項４】
前記複数本の配管を前記胴体に締め付けるのに使用される複数本の締め紐をさらに備えることを特徴とする請求項１に記載の配管固定装置。
【請求項５】
前記固定部材は、前記胴体に、前記各配管を締め付けるのに使用される締め紐の移動を防止するために形成された複数の凹溝をさらに備えることを特徴とする請求項１に記載の配管固定装置。
【請求項６】
前記固定部材は、前記胴体に、前記複数本の締め紐の移動を防止するために形成された複数の凹溝をさらに備えることを特徴とする請求項４に記載の配管固定装置。
【請求項７】
相互交差するように配置された第１及び第２の配管を相互に固定するための固定部材を備えた配管固定装置であって、
前記固定部材が、
胴体と、
該胴体に上下方向に形成されて、前記第１の配管が前記胴体に固定されるようにする第１の固定穴と、
前記胴体に、前記第１の固定穴と交差するように前記第１の固定穴に近接して左右方向に形成される第１の嵌入穴と、
前記胴体に左右方向に形成されて、前記第２の配管が前記胴体に固定されるようにする第２の固定穴と、
前記胴体に、前記第２の固定穴と交差するように第２の固定穴に近接して上下方向に形成される第２の嵌入穴とを備えることを特徴とする配管固定装置。
【請求項８】
前記固定部材は、前記第１の固定穴及び第２の固定穴の一側に形成されて、前記第１及び第２の配管が容易に挿入されるようにするスリットをさらに備えることを特徴とする請求項７に記載の配管固定装置。
【請求項９】
前記第１の嵌入穴に、前記第１の配管を前記胴体に締め付けるための第１の紐がはめ込まれ、前記第２の嵌入穴に、前記第２の配管を前記胴体に締め付けるための第２の紐がはめ込まれることを特徴とする請求項７に記載の配管固定装置。
【請求項１０】
前記固定部材は、前記胴体に、前記第１及び第２の紐の移動を防止するために形成される複数の凹溝をさらに備えることを特徴とする請求項９に記載の配管固定装置。
【請求項１１】
相互に交差するように配置された複数本の配管と、該複数本の配管を固定するための固定部材とを備える配管固定装置であって、
前記固定部材が、
胴体と、
該胴体に前記複数本の配管の配置に相応するように形成される複数の固定穴と、
前記胴体に前記複数の配管の配置に相応するように形成される複数の嵌入穴と、
前記複数本の配管及び前記胴体に圧着力を与えることによって前記複数本の配管が前記胴体に締め付けられるようにする複数本の締め紐とを備えることを特徴とする配管固定装置。
【請求項１２】
前記複数の嵌入穴に、前記複数本の配管を前記胴体に締め付けるための前記複数本の締め紐がはめ込まれることを特徴とする請求項１１に記載の配管固定装置。
【発明の詳細な説明】
【技術分野】
【０００１】
本発明は、配管固定装置に関し、より詳細には、相互に交差するように配置された複数本の配管を固定するのに使用される配管固定装置に関する。
【背景技術】
【０００２】
空気調和機、冷蔵庫などの機器には、通常、液体やガスを通す配管が備えられる。
【０００３】
一般に、配管は、ケーシングの内部に設けられて圧縮機と熱交換器とを連結し、圧縮機及び熱交換器への冷媒の流れを案内する。また、これら配管は、冷媒の流量調節のためのソレノイドバルブ、毛細管などを相互に連結する。圧縮機の駆動に際して配管どうしがぶつかり、また、配管には各種装置が溶接されているため、配管の振動により溶接箇所に衝撃が加えられ、亀裂が生じることがある。
【０００４】
上記問題に鑑みて、ケーシングの一側に取り付けられて配管を固定する固定部材が開示されたが、該既存の固定部材は、全般的な設置作業が面倒かつ複雑である。そこで、複数本の配管を結束する固定部材が開発されたが、その適用範囲が、ケーシング内部に相互に平行配列される配管の固定に局限され、相互に交差するように配置される配管には適用することができなかった。したがって、相互に交差するように配置される配管を安定でしっかりと固定する固定部材の開発が望まれている現状である。
【発明の開示】
【発明が解決しようとする課題】
【０００５】
本発明の目的は、相互に交差するように配置された複数本の配管を固定する配管固定装置を提供することにある。
【課題を解決するための手段】
【０００６】
上記目的を達成するための本発明は、相互に交差するように配置された複数本の配管と、該複数本の配管を固定するための固定部材とを備える配管固定装置であって、前記固定部材が、胴体と、該胴体に前記配管の配置に相応するように形成される複数の固定穴と、前記胴体に前記配管の配置に相応するように形成される複数の嵌入穴とを備えることを特徴とする。
【０００７】
前記複数の固定穴は、配管の長さ方向に形成され、前記複数の嵌入穴は、配管の直径方向に形成される。
【０００８】
前記複数固定穴のうちいずれか一つの固定穴と、前記複数の嵌入穴のうちいずれか一つの嵌入穴は対をなし、対をなす固定穴と嵌入穴は、相互に交差するように形成される。
【０００９】
前記配管固定装置は、前記複数本の配管を前記胴体に締め付けるのに使用される複数本の締め紐をさらに備える。
【００１０】
前記固定部材は、前記胴体に、前記配管を締め付けるための締め紐の移動を防止するために形成された凹溝をさらに備える。
【００１１】
また、上記目的を達成するための本発明は、相互交差するように配置された第１及び第２の配管を相互に固定するための固定部材を備えた配管固定装置であって、前記固定部材が、胴体と、該胴体に上下方向に形成されて、前記第１の配管を固定する第１の固定穴と、前記胴体に、前記第１の固定穴と交差するように前記第１の固定穴に近接して左右方向に形成される第１の嵌入穴と、前記胴体に左右方向に形成されて、前記第２の配管を固定する第２の固定穴と、前記胴体に、前記第２の固定穴と交差するように第２の固定穴に近接して上下方向に形成される第２の嵌入穴とを備える。
【００１２】
前記固定部材は、前記第１の固定穴及び第２の固定穴の一側に形成されて、前記第１及び第２の配管が容易に挿入されるようにするスリットをさらに備える。
【００１３】
前記第１の嵌入穴に、前記第１の配管を締め付けるための第１の紐がはめ込まれ、前記第２の嵌入穴に、前記第２の配管を締め付けるための第２の紐がはめ込まれ、第１及び第２の嵌入穴は、相互に交差するように形成される。
【００１４】
前記固定部材は、前記胴体に、前記第１及び第２の紐の移動を防止するために形成される複数の凹溝をさらに備える。
【発明の効果】
【００１５】
本発明による配管固定装置は、胴体に複数の固定穴と複数の嵌入穴を有しているため、相互に交差するように配置される配管を容易に固定でき、圧縮機の運転中に生じる振動を低減する効果が得られる。
【００１６】
また、本発明によれば、締め紐で配管の外周を取り囲みつつ締め付けるため、相互に交差する配管の結束力を増大させ、安定でしっかりと固定させることが可能になる。
【発明を実施するための最良の形態】
【００１７】
以下、本発明の好ましい実施形態を、添付図面を参照しつつ詳細に説明する。
【００１８】
図１は、複数本の配管を固定するのに使用される本発明の配管固定装置の使用例を示す部分切欠斜視図である。
【００１９】
本発明の配管固定装置は、図１に示すように、垂直方向と水平方向にそれぞれ設けられて相互に交差する複数本の配管、つまり第１及び第２の配管２，３を固定する固定部材１を備える。固定部材１は、ゴム材質からなることが好しいが、これに限定されず、これ以外の公知の物質からなっても良い。締め紐、つまり第１及び第２の紐４，５は、配管を取り囲むべく固定部材の外周に設けられるものであり、本発明の実施形態では、ケーブルタイ(cable-tie)を使用したが、これに限定されなく、配管を締め付ける紐ならいずれも使用可能である。
【００２０】
固定部材１の一側と他側には、複数本の配管２，３を固定するための複数の固定穴と複数の嵌入穴が形成されている。複数の固定穴は、固定する各配管の長さ方向に形成され、複数の嵌入穴は、固定する各配管の直径方向に形成される。ここで、複数の固定穴のうちいずれか一つの固定穴と複数の嵌入穴のうちいずれか一つの嵌入穴は対をなし、対をなす固定穴と嵌入穴は、相互に交差するように形成される。
【００２１】
図２を参照すると、固定部材１は、胴体１０と、胴体１０に上下方向に形成されて第１の配管２を固定する第１の固定穴１１、胴体１０において、第１の固定穴１１と交差するように固定穴１１に近接して左右方向に形成される第１の嵌入穴１２、そして第１の固定穴１１の一側に設けられて、第１の配管２が容易に挿入されるようにする第１のスリット１３を備える。また、固定部材１は、胴体１０に左右方向に形成されて第２の配管を固定する第２の固定穴１４、胴体１０において、第２の固定穴と交差するように第２の固定穴１４に近接して上下方向に形成される第２の嵌入穴１５、そして第２の固定穴１４の一側に設けられて、第２の配管３が容易に挿入されるようにする第２のスリット１６を備える。
【００２２】
第１の嵌入穴１２に、第１の配管２を締め付けるための第１の紐４をはめ込み、第２の嵌入穴１５に、第２の配管３を締め付けるための第２の紐５をはめ込んだ状態で、これら紐４，５により配管の外側を引き締めると、配管を固定する第１及び第２の固定穴１１，１４の第１及び第２のスリット１３，１６が密着され、これにより、固定穴内の配管２，３も固着される。
【００２３】
図３は、本発明の他の実施形態による配管固定装置を示す図である。図３に示す他の実施形態において、固定部材１ａは、胴体１０ａに、締め紐４，５(図３には示さぬ)の移動を防止するために形成された複数の凹溝、つまり、第１及び第２の凹溝１７，１８を有する。第１の凹溝１７は、固定穴１１に挿入される配管２の直径方向に胴体１０ａの外周に沿って形成され、第２の凹溝１８も同様に、固定穴１４に挿入される配管３の直径方向に胴体１０ａの外周に沿って形成される。
【００２４】
図４に、本発明による配管固定装置を、空気調和機の圧縮機と熱交換器間を連結する冷媒配管を固定するのに適用した例を示す。
【００２５】
室外機ケーシング６の内部に、圧縮機７と熱交換器８などの駆動装置が設置され、圧縮機７と熱交換器８との間に冷媒配管が相互に交差して配置される。これら冷媒配管は、本発明による固定部材(１または１ａ)により固定される。
【００２６】
したがって、圧縮機７の運転中に不可避的に振動が生じても、冷媒配管は固定部材(１または１ａ)によって結束しているため、振動が低減する。
【図面の簡単な説明】
【００２７】
【図１】複数本の配管を固定する本発明の配管固定装置の部分切欠斜視図である。
【図２】本発明の第１の実施形態による配管固定装置の斜視図である。
【図３】本発明の第２の実施形態による配管固定装置の斜視図である。
【図４】本発明による配管固定装置を、空気調和機の圧縮機と熱交換器とを連結する冷媒配管を固定するのに適用した例を示す斜視図である。
【符号の説明】
【００２８】
１    固定部材
２    第１の配管
３    第２の配管
４    第１の紐
５    第２の紐
１０  胴体
１１  第１の固定穴
１２  第１の嵌入穴
１３  第１のスリット
１４  第２の固定穴
１５  第２の嵌入穴
１６  第２のスリット
１７  第１の凹溝
１８  第２の凹溝
【図１】
2005337492.tif 000003
【図２】
2005337492.tif 000004
【図３】
2005337492.tif 000005
【図４】
2005337492.tif 000006